(57)【要約】【課題】ジョブの実行に際し、煩わしい操作の不要な画像処理方法を提供する。【解決手段】ＲＦ−ＩＤタグ32を付設した原稿３１をセットし、画像読み取り時に、リーダライタ１９でＲＦ−ＩＤタグ３２の内容を読み出し、前回ジョブの内容と結果が無ければ（ＳＴ1〜ＳＴ３）、操作部８でジョブの内容を設定し（ＳＴ６）、かつジョブの内容をＲＦ−ＩＤタグ３２に書き込み（ＳＴ７）、設定されたジョブを、実行する（ＳＴ８）。一方、ＳＴ３で前回ジョブの内容と結果があれば、特に設定変更不要の場合に（ＳＴ４、ＳＴ５）、ＲＦ−ＩＤタグ３２に記憶されていたジョブ内容によりジョブを実行する（ＳＴ８）。ジョブ実行後は、ＲＦ-ＩＤタグ３２に、ジョブ結果を書き込む。【選択図】      図３
2006222475.tif 000002
【特許請求の範囲】
【請求項１】
ジョブの内容を無線ＩＤタグに書き込み、ジョブを実行する際には、前記無線ＩＤタグから前記ジョブの内容を読み出して画像処理装置に設定し、この設定されたジョブを実行することを特徴とする画像処理方法。
【請求項２】
前記ジョブの実行結果を、当該ジョブの内容が読み出された前記無線ＩＤタグに書き込むことを特徴とする請求項１記載の画像処理方法。
【請求項３】
前記画像処理装置が、原稿から画像を読み取った画像データについてのジョブを実行し、前記原稿に前記無線ＩＤタグが貼り付けられていることを特徴とする請求項1又は請求項２記載の画像処理方法。
【発明の詳細な説明】
【技術分野】
【０００１】
この発明は、フアクシミリ装置、複写装置等の画像処理装置で無線ＩＤタグを用いてジョブを実行する画像処理方法に関する。
【背景技術】
【０００２】
一般に、フアクシミリ装置には、単に原稿を１箇所に送信するだけでなく、順次同報、中継同報等様々なジョブを実行させることができる。フアクシミリ装置は、スキャナ、プリンタ、コピーといった機能を持つ複合機として市場に提供されるようになってきており、それぞれの機能について様々なジョブが設定できるようになっている。複写装置等の他の画像処理装置においても同様に、様々なジョブが設定できるようになっている。
【０００３】
ところで、フアクシミリ装置であって、名刺などに付設した無線ＩＤタグに電話番号情報を記憶させておき、これをリーダで読み出して電話やフアクシミリ通信する技術が知られている(例えば特許文献１参照)
【特許文献１】特開２００２−１８８６９３
【発明の開示】
【発明が解決しようとする課題】
【０００４】
上記したように近年のフアクシミリ装置等の画像処理装置では、多くのジョブを実行可能であり、様々なジョブを設定可能であるが、そのような多くのジョブを設定するには手数が掛かり、また、同じようなジョブを実行するときは、同じようなキー操作をする必要があり、操作が煩わしいという問題がある。
【０００５】
この発明は、上記問題点に着目してなされたものであって、ジョブを実行するに際し、煩わしい操作の不要な画像処理方法を提供することを目的とする。
【課題を解決するための手段】
【０００６】
この発明の画像処理方法は、ジョブの内容を無線ＩＤタグに書き込み、ジョブを実行する際には、前記無線ＩＤ（ＲＦ−ＩＤ）タグから前記ジョブの内容を読み出して画像処理に設定し、この設定されたジョブを実行することを特徴とする。
【０００７】
この発明において、好ましくは、前記ジョブの実行結果を、当該ジョブの内容が読み出された前記無線ＩＤタグに書き込むようにすると良い。
【０００８】
また、この発明において、好ましくは、画像処理装置が、原稿から画像を読み取った画像データについてのジョブを実行し、前記原稿に前記無線ＩＤタグを貼り付けると良い。
【発明の効果】
【０００９】
この発明によれば、ジョブの内容が無線ＩＤタグに記憶されるので、次回からは、この無線ＩＤタグのジョブの内容を読み出して実行でき、したがって、次回からキー操作によって同じジョブの設定の操作が不要である。また無線ＩＤタグは原稿に貼り付けられているので、特別に無線ＩＤタグを画像処理装置に近づける手間がなく、便利である。
【発明を実施するための最良の形態】
【００１０】
以下、実施の形態により、この発明をさらに詳細に説明する。図１は、この発明が実施される画像処理装置の一例であるフアクシミリ装置の構成を示すブロック図である。この実施形態フアクシミリ装置は、ＭＰＵ（Ｍｉｃｒｏ  Ｐｒｏｃｅｓｓｏｒ  Ｕｎｉｔ）１と、ＮＣＵ（Ｎｅｔｗｏｒｋ  Ｃｏｎｔｏｒｏｌ  Ｕｎｉｔ）２と、ＭＯＤＥＭ（Ｍｏｄｕｌａｔｏｒ  Ｄｅｍｏｄｕｌａｔｏｒ）３と、ＲＯＭ（Ｒｅａｄ  Ｏｎｌｙ  Ｍｅｍｏｒｙ）４と、ＲＡＭ（Ｒａｎｄｏｍ  Ａｃｃｅｓｓ  Ｍｅｍｏｒｙ）５と、画像メモリ６と、表示部７と、操作部８と、スキャナ９と、ＣＯＤＥＣ（Ｃｏｄｅｒ  Ｄｅｃｏｄｅｒ）１０と、プリンタ１１と、ＬＡＮ−ＩＦ（Ｌｏｃａｌ  Ａｒｅａ  Ｎｅｔｗｏｒｋ−Ｉｎｔｅｒ  Ｆａｃｅ）１２と、時計回路１３と、バス１４とを、備えている。
【００１１】
ＭＰＵ１は、ＲＯＭ４に格納するプログラムに従い、この装置を構成する各部を制御する機能を有する。ＮＣＵ２は、電話回線網（ＰＳＴＮ）２０との接続を制御するとともに、相手先の電話番号（ＦＡＸ番号を含む）に対応した選択（ダイヤル）信号を送出する機能、及び呼出信号を検出するための機能を備えている。ＭＯＤＥＭ３は，ＩＴＵ(国際電気通信連合)―Ｔ勧告Ｔ．３０に従ったフアクシミリ伝送制御手順に基づいて，Ｖ．１７、Ｖ．２７ｔｅｒ、Ｖ．29等に従った送信データの変調及び受信データの復調を行う。あるいは、これらに加えてＶ．３４に従った送信データの変調及び受信データの復調を行う。
【００１２】
ＲＯＭ４は、この装置を制御するためのプログラムを記憶する。ＲＡＭ５はＭＰＵ１が処理するデータ等を一時的に記憶する。ＲＡＭ５は、後述のＲＦ−ＩＤ(無線ＩＤ)タグ３２から読み出したジョブ内容のデータを記憶する。画像メモリ６は、受信した画像データやスキャナ９で読み取った画像データを記憶する。表示部７は、装置からオペレータへの伝達情報等を表示する。操作部８は、テンキー、ＦＡＸキー，ＣＯＰＹキー、スタートキー、ワンタッチキー、その他種々の設定キー等の操作スイッチを有する。
【００１３】
スキャナ９は、ＦＡＸ送信するとき、又はコピーするときに、原稿の画像を読み取る。このスキャナ９には、読み取り光学系を駆動するためのモータ１５と、このモータを駆動制御するスキャナ機構駆動回路１６と、原稿を光学的に読み取るためのＣＣＤセンサ１７と、このＣＣＤセンサ１７の読み取り画像信号を画像処理する画像処理回路１８を備えるほか、ＲＦ−ＩＤタグ３２のデータを読み取り、さらに書き込むためのＲＦ−ＩＤリーダ／ライタ１９を備えている。このＲＦ−ＩＤリーダ／ライタ19は、スキャナ９の原稿の搬送路の適宜の位置に配置されている。他の適所例えばＡＤＦの原稿セット部などに配置しても良い。
【００１４】
ＣＯＤＥＣ１０は、読み取った画像データを送信するために、ＭＨ，ＭＲ，ＭＭＲ方式等により符号化（エンコード）し、受信した画像データを復号する。プリンタ１１は、複写時にスキャナ９で読み取られた画像データ、フアクシミリ受信した受信画像データ、外部機器であるＰＣ（Ｐｅｒｓｏｎａｌ  Ｃｏｍｐｕｔｅｒ）等から伝送されてきたプリントデータをプリントする。ＬＡＮ−ＩＦ１２は，ＬＡＮを介してＰＣなどの外部機器に接続され、ここより外部機器とのデータ授受を行う。時計回路１３は、現在時刻（年月日時分）を出力する。各構成部は、バス１４によって互いに接続されている。
【００１５】
この実施形態フアクシミリ装置において、ジョブの内容を記憶するのに、図２に示すＲＦ−ＩＤタグ３２を使用する。このＲＦ−ＩＤタグ３２は、裏面に粘着剤を塗布したシール状のものであり、このＲＦ−ＩＤタグ３２は、原稿３１の上端部に添着されている。初めてこのＲＦ−ＩＤタグ３２を使用するときには、中に何も情報が書かれておらず、最初のジョブの内容を書き込むようにしている。しかし、ＲＦ−ＩＤタグ３２には、他のタグライタで予めジョブの内容を書き込んでおいても良い。
【００１６】
この実施形態フアクシミリ装置では、ＲＦ−ＩＤタグ３２を搭載した原稿３１をＡＤＦにセットする。無線ＩＤタグ３２が、中に何も情報を記憶していない場合は、操作部８からキー操作により、ジョブの内容が設定される。例えば、ジョブがフアクシミリ送信の場合、ＦＡＸ日時、送信条件、等が設定される。このようなジョブ内容は、ＡＤＦにセットされた原稿３１のＲＦ−ＩＤタグ３２に、ＲＦ−ＩＤタグリーダ／ライタ１９によって書き込まれる。そして設定されたジョブの実行、例えばフアクシミリ送信が実行される。そして、ジョブ実行後、ＲＦ−ＩＤタグ３２にジョブの結果も書き込まれる。
【００１７】
次に、再度同じジョブを実行する場合には、そのＲＦ−ＩＤタグ３２付きの原稿３１をＡＤＦにセットし、読み取りを開始する。その際、ＲＦ−ＩＤタグ32の内容がＲＦ−ＩＤリーダ／ライタ19で読み出され、そのジョブ内容にしたがって目的とするジョブを実行する。
【００１８】
次に、実施形態フアクシミリ装置における、ジョブの設定、及び実行を進める場合の処理動作を、図３を参照して詳細に説明する。まずスッテプＳＴ１で、原稿３１がＡＤＦ(図示せず）にセットされる。続いて、ステップＳＴ２へ移行する。ステップＳＴ２においては、ＲＦ−ＩＤリーダ／ライタ１９の読み取り信号により、ＲＦ−ＩＤタグ３２が、検出されたか否か判定する。ＲＦ−ＩＤタグ３２が検出されない場合は、通常のジョブへ移行する。一方、ＲＦ−ＩＤタグ３２が検出された場合は、ステップＳＴ３へ移行する。
【００１９】
ステップＳＴ３においては、ＲＦ−ＩＤタグ３２に前回のジョブの内容と、その結果があるか否かを判定する。読み出しが最初の場合などであり、記憶内容がない場合は、ステップＳＴ６へ移行する。一方、ＲＦ−ＩＤタグ３２に記億内容があれば、ステップＳＴ４へ移行する。ステップＳＴ４においては、表示部７に、前回のジョブの内容と結果、例えばジョブがフアクシミリ送信の場合図４に記憶内容を示すように、ＦＡＸ日時、送信条件、結果を、を表示する。次にステップＳＴ５へ移行する。
【００２０】
ステップＳＴ５においては、ジョブの内容を変更するか否か判定する。ユーザがジョブの内容又は前回のジョブの結果を見てジョブの内容を変更する場合は、操作部８で変更を入力し、ステップＳＴ６へ移行する。一方、ジョブの内容を変更しない場合は、ステップＳＴ８へ移行する。ステップＳＴ６においては、それまで、ＲＦ−ＩＤタグ３２の内容がなく最初の読み出しの場合か、あるいは、ジョブの内容の変更が判断された場合なので、ここでは、ジョブの内容を操作部８よりのキー操作などで設定する。次にステップＳＴ７へ移行する。
【００２１】
ステップＳＴ７においては、設定したジョブの内容をＲＦ−ＩＤタグ３２に，ＲＦ−ＩＤリーダ／ライタ１９で書き込む。次にステップＳＴ８へ移行する。ステップＳＴ８においては、今回設定された、あるいは前回にＲＦ−ＩＤタグ３２に記憶されていたジョブ例えばフアクシミリ送信を実行する。次にステップＳＴ９へ移行する。
【００２２】
ステップＳＴ９においては、ここで、ＲＦ−ＩＤタグ３２が検出できたか否かを判定する。ＲＦ−ＩＤタグ３２がリーダ／ライタ19の通信領域内にあり、検出できた場合は、ステップＳＴ１０へ移行する。ステップＳＴ１０においては、実行したジョブ結果をＲＦ−ＩＤタグ３２に書き込んで、処理を終了する。一方、ステップＳＴ９において、ＲＦ−ＩＤタグ３２が検出できなかったと判定された場合は、ステップＳＴ１０の処理をスキップして、処理を終了する。
【００２３】
上記のように、ステップＳＴ１〜ＳＴ３，ＳＴ６〜ＳＴ１０では、ＲＦ−ＩＤタグ３２に最初何も書き込まれていない場合の処理を行い、ステップＳＴ３〜ＳＴ５，ＳＴ８〜ＳＴ１０はＲＦ−ＩＤタグ３２に前回のジョブが書き込まれており、かつ今回は変更なしでジョブを実行する場合の処理であり、ステップＳＴＩ〜ＳＴ５、ＳＴ６〜ＳＴ１０は、前回のジョブが書き込まれており、かつ今回ジョブの内容変更を行う場合の処理を示している。
【００２４】
なお、上記実施形態では、ジョブの内容及び結果を書き込むＲＦ−ＩＤタグ３２は、図２に示すように、原稿３１上に添付する場合について、説明したが本発明では、これに限らず、図５に示すように、キャリアシート３３を用い、このキャリアシート３３に原稿３１を装着すると共に、このキャリアシート３３にＲＦ−ＩＤタグ３２もセットするようにしても良い。
【００２５】
キャリアシート３３は、シート材を折り返して形成され、上面３３ａと下面３３ｂからなり、上面３３ａは透明としたものである。このキャリアシート３３は、原稿３１を挟み込んでフアクシミリ装置のＡＤＦにセットされる。このキャリアシート３３の原稿３１の裏面側の下面３３ｂの表面にＲＦ−ＩＤタグ３２が添着されている。キャリアシートに装着するＲＦ−ＩＤと原稿の組み合わせを気にする必要がないので、異なる原稿に同じジョブを行う場合に便利である。
【図面の簡単な説明】
【００２６】
【図１】この発明が、実施されるフアクシミリ装置の概略構成を示すブロック図である。
【図２】この発明の実施に使用されるＲＦ−ＩＤタグ付きの原稿を説明する図である。
【図３】この発明で使用される原稿の他の例を示す図である。
【図４】同ＲＦ−ＩＤタグのデータの記憶例を示す図である。
【図５】この、発明の実施に使用される原稿及びキャリアシートを説明する図である。
【符号の説明】
【００２７】
１                        ＭＰＵ
２                        ＮＣＵ
３                        ＭＯＤＥＭ
４                        ＲＯＭ
５                        ＲＡＭ
６                        画像メモリ
７                        表示部
８                        操作部
９                        スキャナ
１０                      ＣＯＤＥＣ
１１                      プリンタ
１２                      ＬＡＮ−ＩＦ
１３                      時計回路
１４                      バス
１５                      モータ
１６                      スキャナ機構駆動回路
１７                      ＣＣＤセンサ
１８                      画像処理回路
１９                      ＲＦ−ＩＤリーダ／ライタ
３１                      原稿
３２                      ＲＦ−ＩＤタグ
３３                      キャリアシート
【図１】
2006222475.tif 000003
【図２】
2006222475.tif 000004
【図３】
2006222475.tif 000005
【図４】
2006222475.tif 000006
【図５】
2006222475.tif 000007